(57)【要約】      （修正有）【課題】高密度、記録再生信頼性、ドライブ装置の処理の簡易性を実現する新規な記録媒体のにデータを記録する記録装置の提供。【解決手段】記録可能領域に記録を行う際、アドレス情報に基づいてウォブリングされたトラックを有する相変化記録媒体としての媒体種別を識別するための情報、及びトラックのトラックピッチ及び線密度を識別するための情報を読み込ことにより媒体種別、及びトラックのトラックピッチ及び線密度を識別して記録手段の記録動作を制御する記録制御手段を備える。【選択図】図１
2007122870.tif 000002
【特許請求の範囲】
【請求項１】
相変化記録領域としてデータが記録されるトラックが予め形成されており、バイフェーズ変調されたアドレス情報が所定のキャリアでウォブリングされて前記トラックに記録されている記録可能領域と、この記録可能領域の内周側に設けられた領域であって、製造時に管理情報が再生専用データとして記録された読み出し専用領域とを有し、前記管理情報として、少なくともアドレス情報に基づいてウォブリングされたトラックを有する相変化記録媒体としての媒体種別を識別するための情報、及び前記トラックのトラックピッチ及び線密度を識別するための情報を含む光ディスクに対する記録装置であって、
前記記録可能領域に記録を行う際、少なくとも前記アドレス情報に基づいてウォブリングされたトラックを有する相変化記録媒体としての媒体種別を識別するための情報、及び前記トラックのトラックピッチ及び線密度を識別するための情報を読み込ことにより媒体種別、及びトラックのトラックピッチ及び線密度を識別して記録手段の記録動作を制御する記録制御手段を備えたことを特徴とする記録装置。
【請求項２】
さらに、前記トラックにはデータが一定の線密度で記録されるようにゾーニング設定されるとともに、前記管理情報は少なくとも内周位置及び外周位置のそれぞれにおける記録再生動作のための推奨情報を含む前記光ディスクに対する記録装置であって、
前記記録制御手段は、前記内周位置及び外周位置のそれぞれにおける記録再生動作のための推奨情報を読み込み、該推奨情報に基づき前記記録手段の記録動作を制御することを特徴とする請求項１に記載の記録装置。
【請求項３】
さらに、前記管理情報には、少なくとも前記トラックのトラックピッチの値及び前記線密度の値を含む前記光ディスクに対する記録装置であって、
前記記録制御手段は、前記トラックのトラックピッチの値及び前記線密度の値に基づき前記記録手段の記録動作を制御することを特徴とする請求項２に記載の記録装置。
【請求項４】
前記トラックに対するデータ記録単位としてのデータブロックと、隣接するデータブロックの間は、リンキングセクションが介在されるように記録が行なわれるとともに、前記リンキングセクションのデータサイズは、前記データブロックを構成する最小データ単位と同サイズとされている前記光ディスクに対する記録装置であって、
前記記録制御手段は、前記トラックに対するデータ記録単位としてのデータブロックと、隣接するデータブロックの間は、リンキングセクションが介在されるように前記記録手段を制御するとともに、前記リンキングセクションのデータサイズは、前記データブロックを構成する最小データ単位と同サイズとすることを特徴とする請求項１に記載の記録装置。
【請求項５】
相変化記録領域としてデータが記録されるトラックが予め形成されており、バイフェーズ変調されたアドレス情報が所定のキャリアでウォブリングされて前記トラックに記録されている記録可能領域と、この記録可能領域の内周側に設けられた領域であって、製造時に管理情報が再生専用データとして記録された読み出し専用領域とを有し、前記管理情報として、少なくともアドレス情報に基づいてウォブリングされたトラックを有する相変化記録媒体としての媒体種別を識別するための情報、及び前記トラックのトラックピッチ及び線密度を識別するための情報を含む光ディスクに対する記録方法であって、
前記記録可能領域に記録を行う際、
前記アドレス情報に基づいてウォブリングされたトラックを有する相変化記録媒体としての媒体種別を識別するための情報、及び前記トラックのトラックピッチ及び線密度を識別するための情報を読み込む読み込み手順と、
前記読み込み手順で読み込まれた情報に基づき前記光ディスクの媒体種別、及びトラックのトラックピッチ及び線密度を識別して記録手段の記録動作を制御する記録制御手順と
からなることを特徴とする記録方法。
【請求項６】
さらに、前記トラックにはデータが一定の線密度で記録されるようにゾーニング設定されるとともに、前記管理情報は少なくとも内周位置及び外周位置のそれぞれにおける記録再生動作のための推奨情報を含む前記光ディスクに対する記録方法であって、
前記読み込み手順は、前記内周位置及び外周位置のそれぞれにおける記録再生動作のための推奨情報を読み込み、前記記録制御手順は、前記読み込み手順で読み込まれた推奨情報に基づき前記記録手段の記録動作を制御することを特徴とする請求項５に記載の記録方法。
【請求項７】
さらに、前記管理情報には、少なくとも前記トラックのトラックピッチの値及び前記線密度の値を含む前記光ディスクに対する記録方法であって、
前記読み込み手順は、前記トラックのトラックピッチの値及び前記線密度の値を読み込み、前記記録制御手順は、前記読み込み手順で読み込まれた前記トラックのトラックピッチの値及び前記線密度の値に基づき前記記録手段の記録動作を制御することを特徴とする請求項６に記載の記録方法。
【請求項８】
前記トラックに対するデータ記録単位としてのデータブロックと、隣接するデータブロックの間は、リンキングセクションが介在されるように記録が行なわれるとともに、前記リンキングセクションのデータサイズは、前記データブロックを構成する最小データ単位と同サイズとされている前記光ディスクに対する記録方法であって、
前記記録制御手順は、前記トラックに対するデータ記録単位としてのデータブロックと、隣接するデータブロックの間は、リンキングセクションが介在されるように前記記録手段を制御するとともに、前記リンキングセクションのデータサイズは、前記データブロックを構成する最小データ単位と同サイズとすることを特徴とする請求項５に記載の記録方法。
【発明の詳細な説明】
【技術分野】
【０００１】
本発明は、光ディスク等の光記録媒体、およびその記録方法に関し、特に、プリグループをウォブリングすることにより、アドレス情報が記録されている光ディスクにデータを記録する記録装置及び記録方法に関するものである。
【背景技術】
【０００２】
ディスクにデータを記録するには、データを所定の位置に記録することができるようにアドレス情報を記録する必要がある。このアドレス情報は、ウォブリングにより記録される場合がある。
【０００３】
すなわち、データを記録するトラックが例えばプリグループとして予め形成されるが、このプリグループの側壁をアドレス情報に対応してウォブリングする（蛇行させる）。
このようにすると、ウォブリング情報からアドレスを読み取ることができ、例えばアドレスを示すピットデータ等を予めトラック上に形成しておかなくても、所望の位置にデータを記録再生することができる。
【発明の開示】
【発明が解決しようとする課題】
【０００４】
このような光ディスクに対する課題としては、記録再生動作の信頼性を保持したうえでの大容量化が求められ、このための適切な記録密度の提案が要望されている。
また、記録再生装置における処理の簡易性や、他の種別のディスクとの媒体的及び装置的な互換性が実現できることが好ましいとされる。
例えばマルチメディア用途に好適な光学ディスク記録媒体としてＤＶＤ−ＲＯＭ（Digital Versatile Disc ROM／Digital Video Disc ROM）と呼ばれるディスクが開発されているが、このＤＶＤ−ＲＯＭと互換性を保つとともに、記録再生装置の構成を複雑化しないような、リライタブルな記録媒体が望まれる。
もちろん互換性を考えたうえで、ディスク自体でその種別を判別させる機能を備えることも要求される。
【課題を解決するための手段】
【０００５】
本発明はこれらの課題を解決し、新規な光記録媒体にデータを記録する記録装置及び記録方法を提供することを目的とする。
【０００６】
本発明は、相変化記録領域としてデータが記録されるトラックが予め形成されており、バイフェーズ変調されたアドレス情報が所定のキャリアでウォブリングされて前記トラックに記録されている記録可能領域と、この記録可能領域の内周側に設けられた領域であって、製造時に管理情報が再生専用データとして記録された読み出し専用領域とを有し、前記管理情報として、少なくともアドレス情報に基づいてウォブリングされたトラックを有する相変化記録媒体としての媒体種別を識別するための情報、及び前記トラックのトラックピッチ及び線密度を識別するための情報を含む光ディスクに対する記録装置であって、前記記録可能領域に記録を行う際、少なくとも前記アドレス情報に基づいてウォブリングされたトラックを有する相変化記録媒体としての媒体種別を識別するための情報、及び前記トラックのトラックピッチ及び線密度を識別するための情報を読み込ことにより媒体種別、及びトラックのトラックピッチ及び線密度を識別して記録手段の記録動作を制御する記録制御手段を備える。
【０００７】
さらに、本発明は、相変化記録領域としてデータが記録されるトラックが予め形成されており、バイフェーズ変調されたアドレス情報が所定のキャリアでウォブリングされて前記トラックに記録されている記録可能領域と、この記録可能領域の内周側に設けられた領域であって、製造時に管理情報が再生専用データとして記録された読み出し専用領域とを有し、前記管理情報として、少なくともアドレス情報に基づいてウォブリングされたトラックを有する相変化記録媒体としての媒体種別を識別するための情報、及び前記トラックのトラックピッチ及び線密度を識別するための情報を含む光ディスクに対する記録方法であって、前記記録可能領域に記録を行う際、前記アドレス情報に基づいてウォブリングされたトラックを有する相変化記録媒体としての媒体種別を識別するための情報、及び前記トラックのトラックピッチ及び線密度を識別するための情報を読み込む読み込み手順と、前記読み込み手順で読み込まれた情報に基づき前記光ディスクの媒体種別、及びトラックのトラックピッチ及び線密度を識別して記録手段の記録動作を制御する記録制御手順とからなる。
【発明の効果】
【０００８】
以上説明したように本発明の光記録媒体は、トラックのウォブリング振幅量は１０〜１５ｎｍ、トラックのトラックピッチは０．７４〜０．８２μｍとされており、これは、所定のＮＡ及びレーザ波長の条件下において、当該光記録媒体上に所定のデータ記録容量が得られるとともに、そのウォブリング振幅量とトラックピッチの関係は、アドレス情報及び再生情報の再生エラーレートが好適となる値となっている。つまり大容量記録を実現するとともに記録再生性能を悪化させない新規な光記録媒体を提供できるという効果がある。
【０００９】
また本発明の光記録媒体は、相変化記録領域としてのトラック上にアドレス情報としてのウォブリングが角速度一定回転に対応して形成されている。またそのトラックにはデータが略一定線密度で記録されるようにゾーニング設定がされるとともに、当該光記録媒体の管理情報を記録するエリアが光記録媒体上の所定位置に設けられている。そして、この管理情報として、少なくとも相変化記録媒体であってアドレスがウォブリングトラックにより表現されている記録媒体であることの識別情報や、内周位置及び外周位置のそれぞれにおける記録再生動作のための推奨情報が記録されているようにする。これは記録媒体の種別を表現する機能を備えるとともに好適な記録再生動作をガイドする機能、さらにはＣＬＤ方式を良好に実現するガイドとしての機能を有することになり、記録再生ドライブ環境を良好に設定できるという効果がある。  
さらに管理情報としてトラックピッチの値及び中心的な線密度の値が記録されているようにしたり、もしくはトラックピッチ及び中心的な線密度を識別できる情報が記録されているようにすることで、種別の識別機能は強化され、また記録再生動作の良好なガイドとなる。
【００１０】
また本発明の光記録媒体にデータを記録する記録装置又は記録方法は、トラックに対するデータ記録単位としてのデータブロックと、その隣接するデータブロックの間は、リンキングセクションが介在されるようにし、かつリンキングセクションのデータサイズは、データブロックを構成する最小データ単位（セクター）と同サイズとしたため、リライタブル記録媒体として必要になるリンキングセクションの処理（記録再生装置の処理）を簡易化させ、かつＰＬＬ同期にも十分なサイズであるためリンキングセクションとしての機能を強化できるという効果がある。
【発明を実施するための最良の形態】
【００１１】
以下、本発明の実施の形態として記録可能な光ディスク、及びその光ディスクに対応するカッティング装置、記録再生装置について、次の順序で説明する。
［  Ａ  ］  光ディスクの物理フォーマット
Ａ−１：ディスクフォーマット
Ａ−２：コントロールデータ
Ａ−３：ウォブルアドレスフォーマット
Ａ−４：物理フォーマット設定根拠
［  Ｂ  ］  カッティング装置
［  Ｃ  ］  光ディスクの論理フォーマット
Ｃ−１：セクターフォーマット
Ｃ−２：リンキングセクション
Ｃ−３：フレーム同期信号
Ｃ−４：リンキングセクション設定根拠
［  Ｄ  ］  ゾーニングフォーマット
［  Ｅ  ］  記録再生装置
【００１２】
［  Ａ  ］  光ディスクの物理フォーマット。
Ａ−１：ディスクフォーマット。
本例の光ディスクは、相変化方式でデータの記録を行う光ディスクであり、その物理的なフォーマットは図１に示されるようになる。
【００１３】
ディスクサイズとしては、直径が１２０ｍｍとされる。また、ディスク厚（サブストレート）０．６ｍｍ板の２枚張り合わせディスクとされ、全体としてディスク厚は１．２ｍｍとなる。またディスククランピングはメカニカル方式が採用される。即ちこれらの点では外形的に見ればＣＤ（Compact Disc）、ＤＶＤ−ＲＯＭ（Digital Versatile Disc-ROM／Digital Video Disc-ROM）等と同様となる。
また記録再生装置に装填される際などに用いることのできる、当該ディスクを収納保持するケースがオプションとして用意される。
【００１４】
ディスク上には予めグルーブ（溝）によるトラックが形成され、このグルーブがウォブリング（蛇行）されることにより物理アドレスが表現される。詳しくは後述するが、グルーブがアドレスをＦＭ変調した信号によってウォブリングされることで、グルーブからの再生情報をＦＭ復調することで絶対アドレスが抽出できるようにされている。
またディスクはＣＡＶ（角速度一定）方式で回転駆動されるものとされ、これに応じてグルーブに含まれる絶対アドレスはＣＡＶデータとなる。
グルーブの深さは記録再生のためのレーザ波長λ／８、グルーブ幅は０．４８μｍ中心、ウォブリング振幅は１２．５ｎｍ中心とされている。
なおレーザ波長λ＝６５０ｎｍ（−５／＋１５ｎｍ）、記録再生装置の光学ヘッドの開口率ＮＡ＝０．６とされる。
【００１５】
この光ディスクでは、グルーブ記録方式が採用され（ランドは記録に用いられない）、トラック幅方向にグルーブのセンターから隣接するグルーブのセンターまでがトラックピッチとなる。トラックピッチは０．８０μｍとされる。
またデータ記録は線密度一定（ＣＬＤ：Constant Linear Density ）とされて記録される。線密度は０．３５μｍ／bit とされる。
但し線密度範囲として或る幅が設定され、実際には非常に多数のゾーニング設定が行われることで、ディスク全体として線密度一定に近い状態とされる。これをゾーンＣＬＤ（Zoned Constant Linear Density ）と呼ぶこととし、詳しくは後述する。
ディスク直径の１２０ｍｍのうち、後述するようにデータ記録可能なレコーダブルエリアが設定されること、ゾーンＣＬＤとされることで、トラックピッチ０．８０μｍは、片面（一方の記録層）で３．０Ｇバイト／の記録容量を実現する値となる。
【００１６】
また記録データの変調方式としてはいわゆるＤＶＤと同様に８−１６変調が採用され、相変化記録媒体へのマークエッジ記録が行われる。
【００１７】
図２にディスクの内周側（リードイン）から外周側（リードアウト）までのエリア構造を示す。この構造図の左側には半径位置を、右側には絶対アドレスの値を１６進表記で付記している。
【００１８】
最内周側（半径位置２２．６ｍｍ〜２４．０ｍｍ）の斜線を付した部分はエンボスピットが記録されたエリアとされる。
このエンボスエリアにはオール「００ｈ」のデータ以外には、絶対アドレス「２Ｆ０００ｈ」の位置からリファレンスコードが２ＥＣＣブロック（以下、単にブロックともいう）分記録され、また絶対アドレス「２Ｆ２００ｈ」の位置からコントロールデータが１９２ブロック記録される。
ブロック（ＥＣＣブロック）とは、エラー訂正ブロックを構成する単位であり、３２Ｋバイトのデータ毎にエラー訂正コードが付加されて形成される。
【００１９】
これらのコントロールデータ及びリファレンスコードは、原盤製造のためのカッティングの際に記録され、読出専用のピットデータとなる。コントロールデータには、光ディスクの物理的な管理情報などが記録される。
【００２０】
半径位置２４．０ｍｍから最外周までの領域、つまりエンボスエリア以外の領域は、グルーブによるトラックが形成された記録可能領域（グルーブエリア）となる。ただし、半径位置５８．０ｍｍより外周側は単にグルーブが形成されているのみとなる。
ユーザーがデータ記録に用いることができるレコーダブルエリアは半径位置２４．１９ｍｍ〜５７．９ｍｍの領域であり、絶対アドレスでいえば３１０００ｈ〜１Ａ０ＥＢＦｈまでとなる。
【００２１】
このレコーダブルエリアよりも内周側及び外周側には、ガードゾーン、ディスクテストゾーン、ドライブテストゾーン、ＤＭＡ（ディフェクトマネジメントエリア）が設けられる。
ガードゾーンは、ディスクテストゾーンやＤＭＡに対する書込を行う際にライトクロックの同期をとるためのエリアとして設けられている。
ディスクテストゾーンは、ディスクコンディションのチェックのために設けられている。
ドライブテストゾーンは記録再生ドライブ状況のチェックに用いられる。
【００２２】
ＤＭＡとして、ディスク内周側にはＤＭＡ１，ＤＭＡ２が、またディスク外周側にはＤＭＡ３，ＤＭＡ４が設けられる。ＤＭＡ１〜ＤＭＡ４はそれぞれ同一の内容が記録される。
このＤＭＡにはレコーダブルエリアの欠陥状況の検出結果及びその交代セクターの情報が記録される。記録再生動作がＤＭＡの内容を参照して行われることで、欠陥領域を回避した記録再生を行うことができる。
【００２３】
Ａ−２：コントロールデータ。
上記のようにエンボスエリアに再生専用データとして記録されるコントロールデータの内容を図３に示す。
１９２ブロックとされるコントロールデータの各ブロックは１６セクター（１セクター＝２０４８バイト：セクターフォーマットについては後述する）を含む。そして、その１６セクターは図３のように用いられる。
即ち最初のセクターナンバ０のセクターにおいて、当該ディスクの物理フォーマット情報が記録される。
また、セクターナンバ１のセクターにおいて、当該ディスクのマニファクチャリング情報が記録される。これはディスク製造者がフリーフォーマットで記録してよいテキストデータやコードデータである。
セクターナンバ２〜１５のセクターには各種のコピーライト情報が記録される。
【００２４】
セクターナンバ０のセクターに記録される物理フォーマット情報の内容を、図４にセクター内のバイトポジション及びバイト数とともに示す。
【００２５】
バイトポジション０にはブックタイプ及びパートバージョンが記録される。
ブックタイプとしては４ビットのデータによりディスク種別、例えばリードオンリータイプのディスク、リライタブルディスクなどの種別が記録される。
またパートバージョンとして４ビットでバージョン情報が記録される。
バイトポジション１には各４ビットによりディスクサイズと最小リードアウトレートが記録される。ディスクサイズとは、８ｃｍディスク、１２ｃｍディスク、その他の種別情報である。
【００２６】
バイトポジション２にはディスク構造が記録される。ここにはレイヤー数としてシングルレイヤかデュアルレイヤかの別、トラックパスとしてパラレルトラックパスかオポジットトラックパスかの別、レイヤータイプとして、エンボスユーザデータエリア、レコーダブルユーザーデータエリア、リライタブルユーザーデータエリア等を含む／含まないかの情報が記録される。
【００２７】
バイトポジション３には記録密度の情報として、各４ビットでリニアデンシティ（線密度）、トラックデンシティ（トラックピッチ）が記録される。
本例のディスクの場合、線密度としては０．３５μｍ／ｂｉｔ、トラックピッチとして０．８０μｍという値が記録されることになる。
【００２８】
バイトポジション４〜１５の１２バイトはデータエリアアロケーション、バイトポジション１６〜３１の１６バイトは、リザーブとされている。
【００２９】
バイトポジション３２にはＣＡＶ回転数の値が記録される。
そして、バイトポジション３３〜３８の６バイト、バイトポジション３９〜４４の６バイト、バイトポジション４５〜４８の４バイトは、それぞれ第１線速度、第２線速度、第３線速度においての推奨情報が記録される。
第１線速度とは、規定されたＣＡＶ回転数における半径位置２４ｍｍでの線速度である。ディスク回転はＣＡＶで行われるため、半径位置によって線速度は異なり、換言すれば、半径速度によって線速度が決まる。そして第１線速度としての半径位置２４ｍｍでの線速度とは、つまり図２に示したレコーダブルエリアの先頭部分での線速度である。
また第２線速度とは、規定されたＣＡＶ回転数において半径位置４１ｍｍでの線速度、つまりレコーダブルエリアのほぼ中間位置での線速度である。さらに第３線速度とは、規定されたＣＡＶ回転数において半径位置５８ｍｍでの線速度、つまりグルーブエリアの有効データを有する領域としての最外周位置での線速度である。
【００３０】
各推奨情報としては、それぞれの半径位置（線速度）においてのレーザーのピークパワー、バイアスパワー、リードパワーなどの推奨値が記録される。
本例のディスクについては、ＣＡＶ回転であるため線速度は外周側に行くほど高くなる。その状態でＣＬＤ（線密度一定）記録方式を実現するために半径位置（後述するゾーン）に応じて記録クロックの周波数を変化させる。
このような方式であるため、記録／再生等のためのレーザパワーは、内外周で最適な値が異なり、実際にはその最適値は或る程度リニアに変化していくものであるが、第１、第２、第３の各線速度における推奨値として、最小、中間、最大の値がガイド的に示される。
【００３１】
バイトポジション４９〜２０４７の１９９９バイトはリザーブとされている。
【００３２】
このようなコントロールデータ内の物理フォーマット情報により、ディスクの種別や物理的特性が示され、記録再生装置はこの情報を読み込むことにより、当該ディスクに対して適切な記録再生動作を行うことが可能となる。
【００３３】
Ａ−３：ウォブルアドレスフォーマット。
本例のディスクにおいてエンボスエリア以外のグルーブエリアでは、ウォブリンググルーブによりトラックが予め形成されており、またそのウォブリンググルーブが絶対アドレスを表現している。従って記録再生装置は、ディスクドライブ時にグルーブのウォブル状況に応じた信号を抽出することで絶対アドレス等の情報を得ることができる。
【００３４】
図５は本例の光ディスクのグルーブ構造例を示している。図５（ａ）に模式的に示したように、本例のディスク１のグルーブエリアには、プリグループ２がスパイラル状に内周から外周に向かって予め形成されている。もちろん、このプリグループ２は、同心円状に形成することも可能である。
【００３５】
また、このプリグループ２は、図５（ｂ）においてその一部を拡大して示したように、その左右の側壁が、アドレス情報に対応してウォブリングされる。つまり後述するようにアドレスに基づいて生成されたウォブリング信号に対応する所定の周期で蛇行している。グルーブ２とその隣のグルーブ２の間はランド３とされ、データの記録はグルーブ２に行われる。
従ってトラックピッチはグルーブ２の中心とその隣のグルーブ２の中心までの距離となり、図６（ａ）に示すようにこのトラックピッチが０．８μｍとされる。そしてグルーブ幅（グルーブ２の底面部の幅）は０．４８μｍとなり、従ってグルーブ２の幅はランド３の幅よりも広くなる。
【００３６】
図５（ｂ）のようにグルーブ２は蛇行されるが、この蛇行（ウォブル）の量は図６（ｂ）に示すウォブル振幅ＷＷの値として規定される。
本例のディスク１では、このウォブル振幅ＷＷは１２．５ｎｍとされている。なおグルーブ上では或る周期の間隔で瞬間的にウォブル量が大きくされ、それが後述するファインクロックマークとされるが、その部分ではウォブル振幅は例えば２５〜３０ｎｍ程度となる。
【００３７】
１つのトラック（１周のトラック）は、複数のウォブリングアドレスフレームを有している。
ウォブリングアドレスフレームは、図７に示すようにディスクの回転方向に８分割され、それぞれがサーボセグメント（ｓｅｇｍｅｎｔ０〜ｓｅｇｍｅｎｔ７）とされている。
１つのサーボセグメント（以下単にセグメントという）には絶対アドレスを主とする４８ビットの情報が含まれ、１セグメントあたりのウォブリングは３６０波とされている。
各セグメント（ｓｅｇｍｅｎｔ０〜ｓｅｇｍｅｎｔ７）としての各ウォブリングアドレスフレームは、４８ビットのウォブルデータがＦＭ変調されてウォブルグルーブが形成されていることになる。
【００３８】
また、上記ファインクロックマーク（Fine Clock Mark ）がウォブリンググルーブ上に等間隔で形成され、これはデータの記録時の基準クロックをＰＬＬ回路で生成するために用いられるが、このファインクロックマークは、ディスク１回転あたり９６個形成されており、従って１セグメントあたり１２個のファインクロックマークが形成されることになる。
【００３９】
各セグメント（ｓｅｇｍｅｎｔ０〜ｓｅｇｍｅｎｔ７）としての各ウォブリングアドレスフレームは図９に示した構成となる。
４８ビットのウォブリングアドレスフレームにおいて、最初の４ビットは、ウォブリングアドレスフレームのスタートを示す同期信号（Ｓｙｎｃ）とされる。この４ビットの同期パターンは、８チャンネルビットで４ビットデータを形成するバイフェーズデータとされている。
次の４ビットは、複数の記録層のうちいずれの層であるか、もしくはディスクがどのような層構造であるかを表すレイヤー情報（Layer)とされている。
【００４０】
次の２０ビットはディスク上の絶対アドレスとしてのトラックアドレス（トラックナンバ）とされる。
さらに次の４ビットはセグメントナンバを表す。セグメントナンバの値はｓｅｇｍｅｎｔ０〜ｓｅｇｍｅｎｔ７に対応する「０」〜「７」の値であり、つまりこのセグメントナンバはディスクの円周位置を表す値となる。
次の２ビットはリザーブとされ、ウォブリングアドレスフレームの最後の１４ビットはエラー検出符号（ＣＲＣ）が形成される。
【００４１】
また上記のようにウォブリングアドレスフレームにはファインクロックマークが等間隔で形成される。
図８はファインクロックマークの状態を示している。各ウォブリングアドレスフレームに４８ビットのデータが記録され、１ビットは図８に示したように、所定の周波教の信号のうちの７波（キャリア）により表されるものとすると、１フレームには、３６０波が存在することになる。
光ディスク１を毎分１９３９回転させるものとすると、このキャリアの周波数は９３．１ＫＨｚとなる。
【００４２】
図８に示したように、図９に示したウォブリングアドレスフレームにおいて、ファインクロックマークのために、アドレス情報の４ビット毎に１ビットが割り当てられており、すなわち、４ビットを周期としてそのうちの１ビットにファインクロックマークが重畳される形となる。
４ビット単位での最初の１ビットが、ファインクロックマークが含まれるビットとされ、残りの３ビットは、ファイングロックマークを含まないビットとなる。ファインクロックマークが含まれるビットを図８下部に拡大して示しているが、図示するようにデータビット長の中央位置にファインクロックマークＦＣＫとしての波形が含まれる。
実際のディスク１上のグルーブ２の蛇行形状としては、このファインクロックマークＦＣＫに相当する部分において瞬間的にウォブル振幅ＷＷが例えば３０ｎｍ程度に大きくなる。
【００４３】
１フレーム中には、３ビットおきに１２個のファインクロックマークが記録されることになり、従って１回転（１トラック）には、９６（＝１２×８）個のファインクロックマークが記録される。
このファインクロックマーク（記録再生装置においてファインクロックマークから生成されるＰＬＬクロック）は、セグメントナンバよりもさらに細かく、円周位置を示す情報とすることができる。
【００４４】
４８ビットの各データのキャリアの周波数は、各データに対応した値とされる。トラックナンバ等の各データは、バイフェーズ変調された後、さらに周波数変調され、この周波数変調波でプリグルーブがウォブリングされる。
【００４５】
Ａ−４：物理フォーマット設定根拠。
本例のディスクの物理フォーマットは以上のように設定されるが、このフォーマットの設定根拠及びそれによる効果は次のようになる。
まず、トラックピッチが０．８μｍ、線密度が０．３５μｍ／ｂｉｔ、ウォブル振幅ＷＷが１２．５ｎｍとされていることについて述べる。
【００４６】
まず図１に示したように、レーザ波長λ＝６５０ｎｍ、ＮＡ＝０．６という値を考え、また上述してきたように直径１２０ｍｍのディスクにおいて、３Ｇバイトという記録容量を実現することを前提とする。
そして３Ｇバイトを実現するトラックピッチとしては、例えば０．８μｍ前後が必要となることが算出される。
【００４７】
ここで、仮にトラックピッチを０．８μｍとしてＣＬＤ記録を行うこときに、好適な線密度を考える。
図１０はトラックピッチ＝０．８μｍとした状態で、各種の線密度の状態での再生データのジッターを計測した結果を示すものである。
なお、実線の曲線はクロストーク無しの場合、一点鎖線の曲線はクロストーク有りの場合である。クロストーク有りとは、検査対象となるトラックに隣接するトラックにデータ記録を行っておき、従って検査対象トラックの再生データとして或る程度のクロストーク成分が含まれる状態、逆にクロストーク無しとは、検査対象となるトラックに隣接するトラックにデータ記録を行なわず、従って検査対象トラックの再生データにクロストーク成分が含まれない状態である。
【００４８】
この図をみて理解されるように、線密度が０．３５μｍ／ｂｉｔの前後を境界として、より密度が低い方向にはジッターの増減は急激ではないが、線密度が０．３５μｍ／ｂｉｔを越えたあたりから急激にジッターが増大する傾向にある。つまり、０．３５μｍ／ｂｉｔの前後までの線密度がジッターの観点からは良好な範囲であり、しかもなるべく高密度化したいということを考えて、本例では線密度０．３５μｍ／ｂｉｔという値が設定されたものである。
【００４９】
次にトラックピッチ＝０．８μｍ、線密度＝０．３５μｍ／ｂｉｔという条件下で、ウォブル振幅量を考える。
図１１は、ウォブルのＣ／Ｎ（キャリア／ノイズ比）と、ウォブル振幅量の関係を示す。
図からわかるようにウォブル振幅量が大きくなるほどＣ／Ｎはよくなり、つまりウォブル振幅量が大きいほど、絶対アドレスのデコードにおけるエラーレートは良好となる。逆にウォブル振幅量が小さいほどＣ／Ｎが悪化し、アドレスエラーレートが悪化する。
特に、Ｃ／Ｎが２３ｄＢ以下になると、アドレスエラーが許容値以上となり、これによってウォブル振幅量はだいたい１０ｎｍ以上であることが必要とされる。
【００５０】
一方、図１２はウォブルアドレスのスキューマージンとウォブル振幅量の関係を示す。つまりディスクの傾き状態に対してアドレスが良好にデコードできる限界を示しており、このスキューマージンは大きいほどよい。
この図からはウォブル振幅量が１５ｎｍを越えると、スキューマージンが悪化していることが理解される。
以上の考察から、ウォブル振幅量は１０〜１５ｎｍが適切であるといえる。そして本例の場合は、この範囲に含まれる値としてウォブル振幅量ＷＷ＝１２．５ｎｍとしている。
【００５１】
以上のようにウォブル振幅量が決められた場合に、逆にトラックピッチ＝０．８μｍが適切であるか否かを次に考える。
ここでも評価関数をアドレスエラーのスキューマージンとする。
まず図１３にトラックピッチとアドレスエラーの関係を示す。図１３（ａ）はトラックピッチが小さい場合、図１３（ｂ）はトラックピッチが大きい場合を示している。そして縦軸がアドレスエラーのレベル（％）、横軸がラジアルスキューの値（度）である。
ここでアドレスエラー１０％に相当する部分の幅がスキューマージンであり、例えば図１３（ａ）の場合は±０．９゜程度、図１３（ｂ）の場合は±１．２゜程度がスキューマージンとなる。
この図からはトラックピッチが狭いほどスキューマージンが悪くなることがわかる。
【００５２】
図１４は各種のトラックピッチに対するスキューマージンを示した図であり、図示するようにトラックピッチ０．８０μｍ前後と比較して、よりトラックピッチを狭めていくに従ってスキューマージンが悪化する。
このことから０．８０μｍ前後がトラックピッチとして好適な値であることがわかる。
なお、実際には、図１４に示すように０．７４〜０．８２μｍの範囲が、スキューマージンとして許容できる範囲といえ、この中でも特に０．８０μｍ前後が最もよいとされるものである。
【００５３】
つまり３Ｇバイトを実現するスペックとして、本例のようなトラックピッチが０．８μｍ、線密度が０．３５μｍ／ｂｉｔ、ウォブル振幅ＷＷが１２．５ｎｍ
という組み合わせが、最適のスペックの１つであることが理解される。
以上から本例では、目的とする記録容量の実現とともに、ウォブリンググルーブからの絶対アドレス抽出、データデコード等の動作の信頼性にとって好適なフォーマットが実現されているといえる。
【００５４】
このような効果を得る本例のフォーマットのディスクは、そのフォーマット内容がコントロールデータにおいて識別されることで、例えばＤＶＤ−ＲＯＭとの互換性を保ちながら記録再生装置において良好なドライブ動作を実現できる。
上述したように、トラックピッチ及び線密度は、コントロールデータ内の物理フォーマット情報において、バイトポジション３の記録密度の情報として記録されている。
【００５５】
またバイトポジション０のブックタイプの情報として、トラックピッチが０．８μｍ、線密度が０．３５μｍ／ｂｉｔ、ウォブル振幅量ＷＷが１２．５ｎｍというスペックのディスクであることを識別させることもできる。
もちろんこのブックタイプは、この光ディスクが、相変化記録領域としてデータを記録するトラックが予め形成されており、このトラックが、アドレス情報に対応して所定の周波数のキャリアを周波数変調した信号でウォブリングされ、かつこのアドレス情報としてのウォブリングが角速度一定回転に対応して形成されているディスクであることを識別する情報としても機能できる。
【００５６】
さらに、バイトポジション３３〜４８において第１線速度、第２線速度、第３線速度での推奨情報が記録されるが、これにより、本例のディスクは線密度が０．３５μｍ／ｂｉｔのＣＬＤ方式を実現するための、後述する独自のゾーニングフォーマットが採用されることが表現される。
これによっても本例のフォーマットのディスクであることが識別できる。
【００５７】
［  Ｂ  ］  カッティング装置。
上述した物理フォーマットを有するディスクのカッティング方式について説明する。
ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製である光ディスクを大量生産するプロセスである。
【００５８】
具体的には、原盤工程は、研磨した硝子基板にフォトレジストを塗布し、この感光膜にレーザビームによる露光によってピットやグルーブを形成する、いわゆるカッティングを行なう。
本例の場合、ディスクのエンボスエリアに相当する部分でピットカッティングが行われ、またグルーブエリアに相当する部分で、ウォブリンググルーブのカッティングが行われる。
【００５９】
エンボスエリアにおけるピットデータはプリマスタリングと呼ばれる準備工程で用意される。
そしてカッティングが終了すると、現像等の所定の処理を行なった後、例えば電鋳によって金属表面上への情報の転送を行ない、ディスクの複製を行なう際に必要なスタンパーを作成する。
次に、このスタンパーを用いて例えばインジェクション法等によって、樹脂基板上に情報を転写し、その上に反射膜を生成した後、必要なディスク形態に加工する等の処理を行なって、最終製品を完成する。
【００６０】
カッティング装置は、例えば図１５に示すように、フォトレジストされた硝子基板７１にレーザービームを照射してカッティングを行なう光学部７０と、硝子基板７１を回転駆動する駆動部８０と、入力データを記録データに変換するとともに、光学部７０及び駆動部８０を制御する信号処理部６０とから構成される。
【００６１】
光学部７０には、例えばＨｅ−Ｃｄレーザからなるレーザ光源７２と、このレーザ光源７２からの出射光を記録データに基づいて変調（オン／オフ）する音響光学型の光変調器７３（ＡＯＭ）と、さらにレーザ光源７２からの出射光をウォブル信号に基づいて偏向する音響光学型の光偏向器７４（ＡＯＤ）と、光偏向器７４からの変調ビームの光軸を曲げるプリズム７５と、プリズム７５で反射された変調ビームを集光して硝子基板７１のフォトレジスト面に照射する対物レンズ７６が設けられている。
【００６２】
また、駆動部８０は、硝子基板７１を回転駆動するモータ８１と、モータ８１の回転速度を検出するためのＦＧパルスを発生するＦＧ８２と、硝子基板７１をその半径方向にスライドさせるためのスライドモータ８３と、モータ８１、スライドモータ８３の回転速度や、対物レンズ７６のトラッキング等を制御するサーボコントローラ８４とから構成される。
【００６３】
さらに信号処理部６０は、例えばコンピュータからのソースデータに例えばエラー訂正符号等を付加して入力データを形成するフォーマティング回路６１と、このフォーマティング回路６１からの入力データに所定の演算処理を施して記録データを形成する論理演算回路６２と、グルーブをウォブリングさせるためのウォブル信号を発生するウォブリング信号発生回路６３と、ファインクロックマークの形成のための信号を発生させるマーク信号発生回路６４と、合成回路６５と、合成回路６５からの信号に基づいて光変調器７３及び光偏向器７４を駆動する駆動回路６８と、論理演算回路６２等にクロックを供給するクロック発生器６６と、供給されたクロックに基づいて、サーボコントローラ８４等を制御するシステムコントローラ６７とから構成されている。
【００６４】
そして、このカッティング装置では、カッティングの際、サーボコントローラ８４は、モータ８１によって硝子基板７１を一定角速度で回転駆動するとともに、スライドモータ８３によって硝子基板７１を回転させたまま、所定のトラックピッチでらせん状のトラックが形成されていくようにスライドさせる。
同時に、レーザ光源７２からの出射光は光変調器７３、光偏向器７４を介して記録データに基づく変調ビームとされて対物レンズ７６から硝子基板７１のフォトレジスト面に照射されていき、その結果、フォトレジストがデータやグルーブに基づいて感光される。
【００６５】
一方、フォーマティング回路６１によってエラー訂正符号等が付加された入力データ、即ちコントロールデータなどのエンボスエリアに記録されるデータは、論理演算回路６２に供給されて記録データとして形成される。
そして、エンボスエリアのカッティングタイミングにおいては、この記録データは合成回路６５を介して駆動回路６８に供給され、駆動回路６８は、記録データに応じてピットを形成すべきビットタイミングで光変調器７３をオン状態に制御し、またピットを形成しないビットタイミングで光変調器７３をオフ状態に駆動制御する。
【００６６】
グルーブエリアのカッティングタイミングでは、合成回路６５はウォブリング信号発生回路６３から出力される信号、即ち絶対アドレスがＦＭ変調された信号に、マーク信号発生回路６４から出力されるファインクロックマークに相当する信号を合成させてウォブリングを形成するための信号として駆動回路６８に供給する。駆動回路６８は、グルーブを形成するために連続的に光変調器７３をオン状態に制御する。またウォブリングのために供給された信号に応じて光偏向器７４を駆動する。これによってレーザ光を蛇行させ、即ちグルーブとして露光される部位をウォブリングさせる。
【００６７】
このような動作により、硝子基板４１上にフォーマットに基づいてグルーブ／エンボスピットに対応する露光部が形成されていく。
その後、現像、電鋳等を行ないスタンパーが生成され、スタンパーを用いて上述のディスクが生産される。
【００６８】
絶対アドレスを含むウォブリンググルーブを形成するために設けられている、ウォブリング信号発生回路６３、マーク信号発生回路６４について詳しく説明する。
図１６は、グルーブをウォブリングさせるためのウォブリング信号を発生するウォブリングアドレス発生回路６３の構成例を表している。
発生回路１１は、３７２．４ＫＨｚの周波数の信号を発生する。
【００６９】
発生回路１１が発生する信号は、割算回路１２に供給され、値「１５」で割算された後、周波数２４．８ＫＨｚのバイフェーズクロック信号としてバイフェーズ変調回路１３に供給されている。バィフェーズ変調回路１３にはまた、アドレスデータとしてのＡＤＩＰ（ＡＤｄｒｅｓｓ  Ｉｎ  Ｐｒｅ−ｇｒｏｏｖｅ）データが供給されている。
【００７０】
バイフェーズ変調回路１３は、割算器１２より供給されるバイフェーズクロックを、図示せぬ回路から供給されるＡＤＩＰデータでバイフェーズ変調し、バイフェーズ信号をＦＭ変調回路１５に出力している。
ＦＭ変調回路１５にはまた、発生回路１１が発生した３７２．４ＫＨｚの信号を、割算器１４により値「４」で割算して得られた周波数９３．１ＫＨｚのキャリアが入力されている。
ＦＭ変調回路１５は、この割算器１４より入力されるキャリアを、バイフェーズ変調回路１３より入力されるバイフェーズ信号で周波数変調し、その結果得られるＦＭ信号を出力する。即ち絶対アドレスが含まれたウォブル信号として合成回路６５に出力する。
上記したカッティング装置の動作により、ディスク１のグルーブ２の左右側壁は、このＦＭ変調によるウォブル信号に対応して形成（ウォブリング）される。
【００７１】
図１７と図１８は、バイフェーズ変調回路１３が出力するバイフェーズ信号の例を示している。
この例においては、先行するビットが０であるとき、図１７に示すように、同期パターン（ＳＹＮＣ）として、“１１１０１０００”が用いられ、先行するビットが１であるとき、同期パターンとして、図１８に示すように、図１４に示す場合と逆相の“０００１０１１１”が用いられる。同期パターン（ＳＹＮＣ）は変調では現れない規則外のユニークパターンとされる。
【００７２】
図示するように、絶対アドレスデータ（ＡＤＩＰデータ）のデータビット（Ｄａｔａ  ｂｉｔｓ）のうち、“０”は、バイフェーズ変調され、“１１”（前のチャンネルビットが０のとき）または“００”（前のチャンネルビットが１のとき）のチャンネルビット（Ｃｈａｎｎｅｌ  ｂｉｔｓ）に変換される。
またデータビットの“１”は、“１０”（前のチャンネルビットが０のとき）または“０１”（前のチャンネルビットが１のとき）のチャンネルビットに変換される。
２つのパターンのいずれに変換されるかは、前の符号に依存する。すなわち、図１７と図１８の「Ｗａｖｅ  Ｆｏｒｍ」（波形）は、チャンネルビットの１，０のパターンを、１を高レべル、０を低レべルの信号として表したものであるが、この波形が連続するように、２つのパターンいずれかが選択される。
【００７３】
ＦＭ変調回路１５は、図１７または図１８に示したようなバイフェーズ信号に対応して、割算器１４より供給されるキャリアを図１９に示すように周波数変調する。
すなわち、チャンネルビットデータ（バイフェーズ信号）が「０」であるとき、ＦＭ変調回路１５は、１データビットの半分の長さに対応する期間に、３．５波のキャリアを出力する。この３．５波のキャリアは、正の半波または負の半波から始まるものとされる。
【００７４】
これに対して、チャンネルビットデータ（バイフェーズ信号）が「１」であるとき、１データビットの半分の長さに対応する期間に、４波のキヤリアが出力される。この４波のキャリアも正の半波から始まるキャリアまたは負の半波から始まるキャリアとされる。
【００７５】
従って、ＦＭ変調回路１５は、データビット「０」に対応してチャンネルデータビット「００」が入力されると、データビットの長さに対応する期間に、７波（＝３．５＋３．５）の周波数変調波を出力し、チャンネルデータビット「１１」が入力されると、８波（＝４＋４）の周波数変調波を出力する。
また、データビット「１」に対応してチャンネルデータビット「１０」または「０１」が入力されると、７．５波（＝４＋３．５＝３．５＋４）の周波数変調波が出力される。
【００７６】
ＦＭ変調回路１５に入力される９３．１ＫＨｚのキャリアは、７．５波に対応しており、ＦＭ変調回路１５は、データに対応して、この７．５波のキャリア、またはこれを±６．２０％ずらした７波または８波の周波数変調波を生成する。
【００７７】
上述したように、チャンネルデータ０とチャンネルデータ１に対応する、それぞれ正の半波から始まるキャリアと負の半波から始まるキャリアは、前の信号と連続する方が選択される。
【００７８】
図２０は、このようにしてＦＭ変調回路１５より出力される周波数変調波の例を表している。この例においては、最初のデータビットが「０」とされており、そのチャンネルデータビットは「００」とされている。最初のチャンネルデータピット「０」に対して、始点から正の半波で始まる３．５波のキャリアが選択されている。
その結果、そのキャリアの終点は、正の半波で終了する。そこで次のチャンネルデータビット「０」に対して、負の半波から始まる３．５波が選択され、データビット「０」に対して、合計７波の周波数変調波とされる。
【００７９】
このデータビット「０」の次には、データビット「１」（チャンネルビット「１０」）が続いている。前のデータビット「０」に対応するチャンネルデータビット「０」の３．５波は負の半波で終了しているため、データビット「１」に対応する最初のチャンネルデータビット「１」の４波のキャリアとしては、正の半波から始まるものが選択される。このチャンネルデータビット「１」の４波は負の半波で終了するので、次のチャンネルデータビット「０」の４波は、正の半波から始まるものが選択される。
【００８０】
以下同様にして、データビット「１」（チャンネルデータビット「１０」），データビット「０」（チャンネルデータビット「１１」），データビット「０」（チャンネルデータビット「００」）に対応して、７．５波、８波、７波のキャリアが、データビットの境界部（始点と終点）において連続するように形成出力される。
【００８１】
図２０に示すように、この例においては、チャンネルビットの長さは、７波、７．５波、または８波のキャリアのいずれの場合においても、キャリアの波長の１／２の整数倍の長さとされている。すなわち、チャンネルビットの長さは、７波のキャリア（周波数変調波）の波長の１／２の７倍の長さとされ、かつ、８波のキャリア（周波数変調波〕の１／２の８倍の長さとされている。そして、チャンネルビットの長さは、７．５波のキャリアの波長の１／２の７倍（チャンネルビットが「０」のとさ）、または８倍（チャンネルビットが「１」のとき）とされる。
【００８２】
さらに、この例においては、バイフェーズ変調されたチャンネルビットの境界部（終点または始点）が、周波数変調波のゼロクロス点となるようになされている。これにより、アドレスデータ（チャンネルビットデータ）と周波数変調波の位相が一致し、そのピットの境界部の識別が容易となり、アドレスデータビットの誤検出を防止することができる。その結果、アドレス情報の正確な再生が容易となる。
【００８３】
また、この例においては、データビットの境界部（始点と終点）と、周波数変調波のエッジ（ゼロクロス点）が対応するようになされている。これにより、周波数変調波のエッジを基準としてクロックを生成することもできる。
【００８４】
ところで本例の場合、図１８（ａ）〜（ｄ）に示すように、チャンネルビットデータが「００」（データ「０」），「１１」（データ「０」），「１０」（データ「１」）または「０１」（データ「１」）であるとき、それぞれのデータの中心（チャンネルビットの切り替え点）のキャリアのゼロクロス点において、アドレス情報の変調周波数（９３．１ＫＨｚ）より高い周波数のファインクロックマークを合成させる。
図２１は、４データビット毎となる、ファインクロックマークが付加されたウォブル信号であり、合成回路６５はウォブリング信号発生回路６３からのウォブル信号（周波数変調波）に、マーク信号発生回路６４からの信号を合成させ、４ビットに１回の割合でこの図２１のような信号を生成する。
【００８５】
この際に、アドレスデータビットの中心（チャンネルデータビットの切り替え点）に対応するウォブリング周波数変調波のゼロクロス点に、ファインクロックマークを挿入するようにすることで、ファインクロックマークの振幅変動が少なくなり、その検出が容易となる。
【００８６】
仮に、上述したＦＭ変調回路１５において、チャンネルデータビットが０のとき、例えば中心周波数から−５％だけ周波数をずらすように周波数変調し、チャンネルデータビットが１のとき、＋５％だけ中心周波数からずれるように、周波数変調を行うようにした場合、データビットまたはチャンネルデータビットの境界部と周波数変調波のゼロクロス点が一致せず、チャンネルデータビット（またはデータビット）を誤検出し易い。また、ファインクロックマークの挿入位置は、必ずしもゼロクロス点とはならず、周波数変調波の所定の振幅値を有する点に重畳される。その結果、ファインクロックマークのレベルが、その振幅値の分だけ、増加または減少し、その検出が困難になるという現象がある。
ところが本例によれば、常に、周波数変調波のゼロクロスの位置にファインクロックマークが配置されるので、その検出、即ち周波数変調波との識別が容易となるという利点が得られる。
【００８７】
［  Ｃ  ］  光ディスクの論理フォーマット。
Ｃ−１：セクターフォーマット。
次に、記録データの論理フォーマットについて説明する。
本例においては、１クラスタが３２Ｋバイトで構成され、このクラスタを単位として、データが記録される。この３２Ｋバイトとは前述したＥＣＣブロックに相当する。
１クラスタは１６セクターで構成される。
【００８８】
図２２に示すように、２Ｋバイト（２０４８バイト）のデータが、１セクタ分のデータとして抽出され、これに１６バイトのオーバーヘッドが付加される。このオーバーヘッドには、セクタアドレス（後述する図３７のアドレス発生読取回路３５で発生され、あるいは読み取られるアドレス）と、エラー検出のためのエラー検出符号などが含まれている。
【００８９】
この合計２０６４（＝２０４８＋１６）バイトのデータが、図２３に１行として示す、１２×１７２（＝２０６４）バイトのデータ（１セクター）とされる。  そして、この１セクタ分のデータが１６個集められ、図示する１９２（＝１２×１６）×１７２バイトのデータが構築される。
この１９２×１７２バイトのデータに対して、１０バイトの内符号（ＰＩ）と１６バイトの外符号（ＰＯ）が、横方向および縦方向の各バイトに対して、パリティとして付加される。
【００９０】
さらに、このようにして形成される合計２０８×１８２バイト（＝（１９２＋１６）×（１７２＋１０））にブロック化されたデータのうち、１６×１８２バイトの外符号（ＰＯ）は、１６個のｌ×１８２バイトのデータに区分され、図２４に示すように、１２×１８２バイトの番号０乃至番号１５の１６個のセクタデータの下に１個ずつ付加されて、インタリーブされる。
そして、１３（＝１２＋１）×１８２バイトのデータが１セクタのデータとされる。
【００９１】
さらに、図２４に示す２０８×１８２バイトのデータは、図２５に示すように、縦方向に２分割され、１フレームが９１バイトのデータとされて、２０８（ｒｏｗ）×２（ｆｒａｍｅ）のデータとされる。
そして、この２０８×２フレームの各データの先頭に、１３（ｒｏｗ）×２（ｆｒａｍｅ）のリンキングセクション（リンクエリアのデータ）が付加される。  なお、より正確には、図３１を参照して後述するように、２６フレーム分のリンキングセクションのデータのー部が前クラスタの最後に記録され、残りは現クラスタの先頭に記録される。
【００９２】
９１バイトのフレームデータの先頭には、さらに２バイトのフレーム同期信号（ＦＳ）が付加される。その結果、図２５に示すように、１フレームのデータは合計９３バイトのデータとなり、合計２２１（ｒｏｗ）×９３×２バイト、即ち４４２フレームのブロックのデータとなる。
これが、１クラスタ（記録の単位としてのブロック）分のデータとなる。そのオーバヘッド部分を除いた実データ部の大きさは、８２Ｋバイト（＝２０４８×１６／１０２４Ｋバイト）となる。
【００９３】
以上のように本例の場合、１クラスタが１６セクタにより構成され、１セクタが２６フレームにより構成される。
【００９４】
Ｃ−２：リンキングセクション。
このようなデータが、ディスク１にクラスタ単位で記録され、クラスタとクラスタの間には、図２６に示すリンキングセクションが配置される。
【００９５】
リンキングセクションは、２６フレームからなり、つまり上記１セクターと同サイズとなる。
そしてこのリンキングセクションは、３２ｋバイトのクラスタ（ブロック）の間に挿入されている。
ただし実際にはブロック（Ｎ）となるクラスタの記録動作の終端と、ブロック（Ｎ＋１）となるクラスタの記録開始位置において、リンキングポイントで分割した状態で形成される。
【００９６】
図２７はリンキングセクションの各フレームの同期信号の種別（ＳＹ０〜ＳＹ７）とデータ内容を示している。
図示するようにデータ内容としてはオール０データ以外に、所定フレームにＡＵＸデータが記録される場合がある。またレーザパワーコントロールのために用いられる場合もある。フレームの同期信号の種別については後述する。
【００９７】
図２８に、クラスタの間に形成されるリンキングセクションの様子を示す。
各クラスタには、３２ｋバイトのデータブロックの先頭部分に形成されるリンキングセクション（リンキングポイント以降の部分）として、Ｓｌｉｃｅ／ＰＬＬデータ、フレーム同期信号ＳＹＩ〜ＳＹ７等のデータが記録される。そしてクラスタの本体となる３２ｋバイトのデータブロックに続いて、クラスタ後端部側のリンキングセクション（リンキングポイント以前の部分）として、ボストアンプル、ポストガードの領域が形成される。
【００９８】
Ｓｌｉｃｅデータは、再生データを２値化するための時定数を設定するために用いられるデータであり、ＰＬＬデータは、クロックを再生するためのデータである。
フレーム同期信号（フレームシンク）ＳＹ１乃至ＳＹ７は、図３１を参照して後述するように、ステート１乃至ステート４の中から何れかが選択されて付加される。
【００９９】
ポストアンプルには、最後のデータのマーク長を調節し、信号極性を戻すためのデータが記録される。
ポストガードは、ディスクの偏心やディスクの記録感度等に応じて生ずる記録ジッタを吸収するエリアである。また、ポストガードは、後述するようにデータの記録開始位置を変更した場合においても、次に記録されるリンクエリアとの間でデータが相互に干渉することを防止する機能を持つ。なお、ポストガードは、ジッタが全くない場合で、かつ、後述するＤＰＳ（Ｄａｔａ  Ｐｏｓｉｔｉｏｎ  Ｓｈｉｆｔ）が０バイトである場合、８バイトだけ次のデータとオーバーラップされて記録されることになる。
【０１００】
同期信号（ｓｙｎｃ）は、４バイトのデータであり同期をとるための信号である。また、リンキングセクションの最後の４バイトは、将来の利用のために留保（ｒｅｓｅｒｖｅ）されている。
【０１０１】
各クラスタは、リンキングポイントから情報の記録が開始され、リンキングポイントを８バイト超過（オーバーラップ）したところで記録が終了される。また、記録の際には、後述する記録再生装置の記録再生回路３３は、０〜６４バイトの何れかの値をＤＰＳとしてランダムに選択し、選択したＤＰＳの値に応じて、リンクエリアのデータと３２ｋバイトのブロックデータの記録位置を変更する。
【０１０２】
図２８に拡大して示すように、例えばＤＰＳとして０バイトが選択された場合、前方リンキングセクションの最初のフレーム同期信号ＳＹ１の前には、１４バイトのリンクデータが付加され、また、後方リンキングセクションの最後のフレーム同期信号ＳＹ５の後には、８５バイトのリンクデータが付加される。
【０１０３】
また、ＤＰＳとして３２バイトが選択された場合、前方リンキングセクションの最初のフレーム同期信号ＳＹ１の前には、４６バイトのリンクデータが付加され、後方リンキングセクションの最後のフレーム同期信号ＳＹ５の後には、５３バイトのリンクデータが付加される。
【０１０４】
更に、ＤＰＳとして６４バイトが選択された場合、前方リンキングセクションの最初のフレーム同期信号ＳＹ１の前には、７８バイトのリンクデータが付加され、後方リンキングセクションの最後のフレーム同期信号ＳＹ５の後には、２１バイトのリンクデータが付加される。
【０１０５】
このように、記録再生回路３３が選択するＤＰＳの値に応じて、リンクデータと３２ｋバイトのデータブロックの記録される位置が変化することになる。
これは相変化ディスクに情報を記録する際において、ディスクの同じ部分に同ーのデータ（例えばフレーム同期信号等）が繰り返し記録されることを防止することになり、繰り返し記録回数としてのディスクの長寿命化に寄与できる。
またその際、リンキングポイントは固定とされているので、記録タイミングの発生は従来と同様に実施することができる。
【０１０６】
Ｃ−３：フレーム同期信号。
ところで、クラスタ／セクターを構成する各フレームには、上記リンキングセクションのフレームも含めて、その先頭位置にフレーム同期信号が付加され、その種類はＳＹ０〜ＳＹ７とされる。
【０１０７】
図２９は、後述する本例の記録再生装置で、本例のディスクと互換的に使用できるＲＯＭディスク（例えばＤＶＤ−ＲＯＭ）におけるフレーム同期信号の構成を示している。ＲＯＭディスクでも、１セクターは１３行（ｒｏｗ）のデータ、すなわち、２６フレームから構成されており、また、各フレームの先頭には、フレーム同期信号（ＳＹ０〜ＳＹ７）が付加されている。なお、ＲＯＭディスクの場合はリンキングセクションは存在しない。
【０１０８】
そして先頭のフレームから順に図示するように、ＳＹ０、ＳＹ５、ＳＹ１、ＳＹ５、ＳＹ２、ＳＹ５、・・・・・・・ＳＹ３、ＳＹ７、ＳＹ４、ＳＹ７というように、２６個の各フレームにおけるフレーム同期信号が設定されている。
【０１０９】
一方、本例のディスクにおけるフレーム同期信号の構成は図３０に示される。１セクターは１３行（ｒｏｗ）、すなわち２６フレームから構成され、各フレームの先頭にフレーム同期信号（ＳＹ０〜ＳＹ７）が付加されている。そしてリンキングセクションも、１セクター分のサイズとなる。
そして各セクター及びリンキングセクションでは、いずれも、先頭のフレームから順に図示するように、ＳＹ０、ＳＹ５、ＳＹ１、ＳＹ５、ＳＹ２、ＳＹ５、・・・・・・・ＳＹ３、ＳＹ７、ＳＹ４、ＳＹ７というように、２６個の各フレームのフレーム同期信号の種別が設定されている。
即ちセクター単位でみて、ＲＯＭディスクと本例のディスクは、リンキングセクションも含めて、フレームシンクの種別は同一のパターン（配列）とされている。
【０１１０】
このような構成にすることにより、ＲＡＭディスクをＲＯＭディスク専用の再生装置においても再生することが可能となる。
すなわち、ＲＯＭディスク専用の再生装置では、データブロックの第１０行目乃至第１３行目に格納されている８つのフレーム同期信号ＳＹ１、ＳＹ７、ＳＹ２、ＳＹ７、ＳＹ３、ＳＹ７、ＳＹ４、ＳＹ７が検出されると、その次のデータがデータブロックの先頭部であることを認知するようになされているので、これら８つのフレーム同期信号をリンクエリアに格納することにより、リンクエリアに次に続くデータエリアの先頭部を再生装置に認知させることができる。
【０１１１】
図３１は、フレーム同期信号ＳＹ０〜ＳＹ７の一例を示している。なおフレーム同期信号は２バイトのデータとされているが、この例では、チャンネルビットデータに変換後のデータを示しているので、各フレーム同期信号のデータ長は３２ビット（４バイト）となっている。
例えばＳＹ０には、ステート１〜ステート４の４種類が存在しており、９１バイトトのフレームデータ（図２５参照）に付加された場合に、ＤＳＶ（Ｄｉｇｉｔａｌ  Ｓｕｍ  Ｖａｌｕｅ）が最小になるステートのデータが選択され、フレーム同期信号として付加される。
【０１１２】
Ｃ−４：リンキングセクション設定根拠。
上記のようにリンキングセクションは１セクター分の領域とされるが、このようなフォーマットとすることにより次のような効果が得られる。
リンキングセクションには、クラスタとしての実データの記録又は再生動作に先立って記録又は再生クロックの同期をとるためのエリアとしての機能もある。このためリンキングセクションとしては、記録再生装置におけるクロック生成のために十分なサイズであることが求められる。
一般に、再生クロック抽出のためのＰＬＬ回路は、ディスク上の傷などの影響によるクロックの乱れなどを防止するために、或る程度長い時定数が設定されることが多い。このため、リンキングセクションが１セクター分のサイズとされていることは、クロック生成という観点において好適な長さとなり、即ち本例のディスクを各種の再生装置（例えばＤＶＤ−ＲＯＭプレーヤ）などで再生することを考えても好適となる。
【０１１３】
また、リンキングセクションが１セクターサイズとされていることで、記録再生装置の信号処理系統も複雑な処理が不要となる。
即ちデータ再生処理は基本的に１セクター単位で捉えたうえで、図２５のようなブロックでエラー訂正を行うように構成されるが、リンキングセクションが１セクターサイズでない場合、ディスクから読み込んだデータにおいてリンキングセクション分だけのずれが、１セクターより小さいデータ単位で生じていくことになり、これは回路構成や動作の複雑化を招く。ところが本例ではリンキングセクションに関しては１セクター分のデータとして扱えるため、例えば読み出しデータの中からリンキングセクションに関するデータをオミットする処理や、記録動作の際のリンキングセクションデータの発生処理などが簡略化できる。
【０１１４】
［  Ｄ  ］  ゾーニングフォーマット。
本例のディスクは、ＣＬＤ方式を、非常に多数のゾーン分割によるゾーンＣＬＤとして実現する。
このゾーニングフォーマットについて説明する。
【０１１５】
本例のディスク１は図３３に示すように、複数のゾーン（この例の場合、第０
ゾーン〜第ｍ＋１ゾーンのｍ＋２個のゾーンに区分してデータを記録または再生する。
いま、第０ゾーンの１トラック当たりのデータフレーム（このデータフレームは、図９で説明したアドレスフレームとは異なり、図２５を参照して説明したようなデータのブロックの単位である）の数をｎ個とするとき、次の第１ゾーンにおいては、１トラック当たりのデータフレーム数は（ｎ＋１）個とされる。
以下、同様に、より外周側のゾーンは、隣接する内周側のゾーンに較べて１個づつデータフレーム数が増加し、第ｍゾーンにおいてはデータフレーム数は（ｎ＋ｍ）個、最外周の第（ｍ＋１）ゾーンにおいてはｎ＋（ｍ＋１）個となる。
【０１１６】
ゾーンの分岐は、前ゾーンと同じ最内周線密度で、（ｎ＋１）フレームの容量が得られる半径位置とされる。つまり、第０ゾーンの最内周線密度と同じ線密度で、（ｎ＋１）フレームの容量が得られる半径位置が、第１ゾーンの開始位置となる。
同様に、第ｍゾーンは、第０ゾーンの最内周線密度と同じ線密度で、（ｎ＋ｍ）フレームの容量が得られる半径位置が開始位置とされる。
【０１１７】
そして本例のように、直径が１２０ｍｍのディスク１であって、半径位置として２４ｍｍ〜５８ｍｍの範囲をレコーダブルエリアとし、トラックピッチを０．８０μｍ、線密度を約０．３５１μｍ／ｂｉｔとすると、レコーダブルエリアは図３２に示すように、第０ゾーン〜第８１４ゾーンの８１５個のゾーンに区分される。
半径位置２４ｍｍが開始位置となる第０ゾーンにおいては、１トラック（１回転）当たり５７８フレームとなり、ゾーンが１づつインクリメントするにつれて、１トラック当たり１フレームが増加される。
【０１１８】
前述したように、本例の場合、１セクタは２６フレーム（データフレーム）により構成されるので、ゾーン毎にインクリメントされるフレームの数（＝１）は、この１セクタを構成するフレームの数（＝２６）より小さい値に設定されていることになる。これにより、より細かい単位で多くのゾーンを形成することが可能となり、ディスク１の容量を大きくすることができる。この方式をゾーンＣＬＤ（Ｚｏｎｅｄ  Ｃｏｎｓｔａｎｔ  Ｌｉｎｅａｒ  Ｄｅｎｃｉｔｙ）と称する。
【０１１９】
ＣＬＤ方式を考えた場合、図３４に実線で示すようにディスク半径位置に応じてクロック周波数をリニアに変化させていく必要がある。ところが実際上はそのような制御は困難（不可能ではないが）かつ必要性が薄く、このため本例では破線により模式的に示すように段階的にクロック周波数を変化させ、基本的にはいわゆるゾーンＣＡＶと同様の方式をとる。但し、ゾーンを例えば８１５個などの非常に多数に分割することで、ゾーン内での線密度の変動量を抑え、ゾーンＣＬＤ方式として結果的に線密度を約０．３５μｍ／ｂｉｔを中心として略一定といえる範囲内としている。
【０１２０】
各ゾーンの詳細なパラメータは図３５、図３６に示されている。なお、ここでは８１５この全ゾーンについてパラメータをあげることは省略し、第０ゾーン〜第２３ゾーン、及び第７９６ゾーン〜第８１４ゾーンについて例示している。
図３５、図３６において、各列のデータは、ゾーン番号、ゾーン開始位置となる半径位置、１トラック当たりのフレーム数、１ゾーン当たりのトラック数、１ゾーン当たりの記録再生単位（ブロック）数（クラスタ数）、そのゾーン内における線密度、そのゾーンの容量、そのゾーンでの回転速度、のゾーンの最小線速度、のゾーンの最大線速度を、それぞれ表している。
【０１２１】
このように、ＣＬＶに近いゾーニングを行うことにより、ゾーンと次のゾーンにおけるクロック周波数の変化が小さくなり、ＣＬＶ専用の再生装置により再生した場合においても、クロック周波数が変化するゾーン間においてもクロックの抽出が可能となり、ゾーン間を連続して再生することができる。
【０１２２】
［  Ｅ  ］  記録再生装置。
図３７は、上述してきたディスク１に対して、データを記録または再生する光ディスク記録再生装置の構成例を示している。
スピンドルモータ３１は、ディスク１を所定の速度で回転させる。即ちＣＡＶ回転駆動を実行する。
光ヘッド３２は、ディスク１に対してレーザ光を照射し、ディスク１に対してデータを記録するとともに、その反射光からデータを再生する。
【０１２３】
記録再生回路３３は、図示せぬ装置（例えばホストコンピュータ）から入力される記録データをメモリ３４に一旦記録させ、メモリ３４に記録単位としての１クラスタ分のデータが記憶されたとき、この１クラスタ分のデータを読み出し、インターリーブ、エラー訂正符号の付加、８ー１６変調などのエンコードを行って記録データを生成する。そして記録データを光ヘッド３２に出力し、ディスク１に対する記録動作を実行させる。
また再生時には、記録再生回路３３は、光ヘッド３２より得られたデータに対してを８ー１６復調、エラー訂正処理、デインターリーブなどのデコードを行い、デコードされたデータを図示せぬ装置に出力する。
【０１２４】
記録時には、アドレス発生読取回路３５は、例えばマイクロコンピュータにより形成される制御回路３８からの制御に対応して、トラック（プリグループ２）内に記録するアドレス（なお、これはウォブリング情報として記録されるアドレスではない）を発生し、記録再生回路３３に出力する。
記録再生回路３３は、このアドレスを記録データに付加して、光ヘッド３２に出力し、アドレスデータとして記録させている。
【０１２５】
また記録再生回路３３は、ディスク１のトラックから再生する再生データ中にアドレスデータが含まれるとき、これを分離し、アドレス発生読取回路３５に出力している。アドレス発生読取回路３５は、読み取ったアドレスを制御回路３８に出力する。
【０１２６】
さらにアドレス発生読み取り回路３５は、データ中のフレーム同期信号ＦＳ（フレームシンク）を検出し、その検出結果を、フレームシンク（ＦＳ）カウンタ４９に出力する。ＦＳカウンタ４９は、アドレス発生読み取り回路３５の出力するＦＳ検出パルスをカウントし、そのカウント値を制御回路３８に出力する。
【０１２７】
マーク検出回路３６は、光ヘッド３２が再生出力するＲＦ信号（ウォブリング信号）からファインクロックマークに対応する成分を検出している。マーク検出回路３６の検出信号は制御回路３８及びマーク周期検出回路４０に供給される。
【０１２８】
セグメントアドレス検出回路３７、トラックアドレス検出回路４８は、それぞれ、光ヘッド３２の出力するウォブリング信号から、セグメントナンバ、トラックナンバを検出する。図９を参照して説明したように、４８ビットのウォブリングアドレスフレームには、トラックナンバ（トラックアドレス）、セグメントナンバ（円周位置情報）が記録されているが、これらがトラックアドレス検出回路４８及びセグメントアドレス検出回路３７によって検出され、制御回路３８に供給される。
また検出されたトラックアドレスは、クラスタカウンタ４６にも供給される。
【０１２９】
マーク周期検出回路４０は、マーク検出回路３６がファインクロックマークを検出したときに出力する検出パルスの周期性を判定する。すなわち、ファインクロックマ−クはー定の周期（４ビット毎）で発生するため、マーク検出回路３６より入力される検出パルスが、このー定の周期で発生した検出パルスであるか否かを判定し、ー定の周期で発生した検出パルスであれば、その検出パルスに同期したパルスを発生し、後段のＰＬＬ回路４１の位相比較器４２に出力する。
また、マーク周期検出回路４０は、一定の周期で検出パルスが入力されてこない場合においては、後段のＰＬＬ回路４１が誤った位相にロックしないように、所定のタイミングで疑似パルスを発生する。
【０１３０】
ＰＬＬ回路４１は、位相比較器４２の他、ローパスフィルタ４３、電庄制御発振器（ＶＣＯ）４４、および分周器４５とを有している。
位相比較器４２は、マーク周期検出回路４０からの入力と、分周器４５からの入力との位相を比較し、その位相誤差を出力する。ローパスフィルタ４３は、位相比較器４２の出力する位相誤差信号の位相を補償し、ＶＣＯ４４に出力する。ＶＣＯ４４は、ローパスフィルタ４３の出力に対応する位相のクロックを発生し、分周器４５に出力する。分周器４５は、ＶＣＯ４４より入力されるクロックを所定の値で分周し、分周した結果を位相比較器４２に出力している。
【０１３１】
またＶＣＯ４４の出力するクロックは、記録クロックとして所要回路に供給されるとともに、クラスタカウンタ４６にも供給される。クラスタカウンタ４６は、トラックアドレス検出回路４８より供給されるウォブリング信号中のトラックアドレスを基準として、ＶＣＯ４４の出力するクロックの数を計数し、その計数値が予め設定された所定の値（１クラスタの長さに対応する値）に達したとき、クラスタスタートパルスを発生し、制御回路３８に出力している。
【０１３２】
スレッドモータ３９は、制御回路３８に制御され、光ヘッド３２をディスク１の所定のトラック位置に移送するようになされている。また、制御回路３８は、スピンドルモータ３１を制御し、ディスク１を所定の速度で回転させる。
【０１３３】
ＲＯＭ４７には、アドレスフレーム中のトラックナンバと、ディスク１のデータ記録領域を区分したゾーンとの対応関係を規定するテーブルと、必要に応じて、ゾーンとそのゾーンが対応するバンドの関係を規定するテーブルが記憶されている。
【０１３４】
制御回路３８は、上述したゾーニングフォーマットに応じた記録再生動作が実行されるように各部の制御を行う。
制御回路３８は、アクセスすべき点をセクタ番号で取得したとき、このセクタ番号を、トラックナンバとそのトラックにおけるデータフレーム番号とに置換する処理を行う。
すなわち、ＲＯＭ４７には、例えば図３９に示すように、セクタナンバと、ゾーンナンバ、ＥＣＣブロックナンバ、１ゾーン当たりのフレーム数、トラックナンバ、１トラック当たりのフレーム数などとの対応関係を表すテーブルが記億されている。制御回路３８は、このテーブルを参照して、指定されたセクタナンバに対応するトラックナンバと、そのトラック内におけるデータフレームの数を読み取る。
【０１３５】
一方で制御回路３８は、トラックアドレス検出回路４８の出力からトラック番号、即ちウォブリング信号から検出される現在のトラックアドレスを検出する。  そして制御回路３８は、トラックアドレス検出回路４８より所望の（アクセス目的たる）トラック番号が検出されたとき、次に、そのトラックの基準位置を検出する。
【０１３６】
図４０に示すように、ディスク１には、ウォブリング情報としてトラック番号が記録されているとともに、各トラックのアドレスフレームには、４ビット周期でクロック同期マークが記録されている。制御回路３８は、所定のトラックの最初のアドレスフレーム（セグメント番号０のアドレスフレーム）の４８のビットのうちの第１ビットに挿入されているファインクロックマークを基準のファインクロックマークとして検出する。
【０１３７】
さらに制御回路３８は、基準となるファインクロックマークが、トラック１周について１個検出されたとき、ＦＳカウンタ４９のカウント値をリセットする。ＦＳカウンタ４９は、以後、フレーム同期信号が検出されるとこれをカウントする。
ＦＳカウンタ４９のカウント値が検索すべきセクタ番号に対応する値となったとき、そのセクタが検索すべきセクタと判別される。
【０１３８】
そして、制御回路３８は、所定のセクタに記録を開始するとき、そのセクタの記録の記録開始位置を、基準となるファインクロックマークのゼロクロスのタイミングから、（０〜２）±４バイトの範囲となるように制御する。
以上のよう制御回路３８は、例えばフレーム番号０のフレーム（アドレスフレーム）の最初に検出されるクロック同期マークを基準として、記録クロックのカウント値より、トラック上の任意の位置（１回転中の任意の位置）にアクセスさせる制御を行うことが可能となる。
つまりトラックとデータフレーム単位でアクセスできる。
【０１３９】
このようにして、トラック上の任意の位置にアクセスした場合、さらにそのアクセス点が、どのゾーンに属するか否かを判定し、そのゾーンに対応する周波数のクロックをＶＣＯ４４に発生させる必要がある。そこで、制御回路３８は、図３８のフローチャートに示すようなクロック切り替え処理を実行する。
【０１４０】
すなわち、最初にステップＦ１０１において、制御回路３８は、トラックアドレス検出回路４８が出力したアクセス点のアドレスの中からトラックナンバを読み取る。そして、ステップＦ１０２において、ステップＦ１０１で読み取ったトラックナンバに対応するゾーンを、ＲＯＭ４７に記憶されているテーブルから読み取る。
上述したように、ＲＯＭ４７のテーブルには、各番号のトラックが、例えば第０ゾーン〜第８１４ゾーンのいずれのゾーンに属するかが、予め記憶されている。
【０１４１】
そこで、ステップＦ１０３において、いま読み取ったトラックナンバが、それまでアクセスしていたゾーンと異なる新しいゾーンであるか否かを判定する。新しいゾーンであると判定された場合においては、ステップＦ１０４に進み、制御回路３８は、分周器４５を制御し、その新しいゾーンに対応する分周比を設定させる。これにより、各ゾーン毎に異なる周波数の記録クロックがＶＣＯ４４より出力されることになる。
なお、ステップＦ１０３において、現在のゾーンが新しいゾーンではないと判定された場合においては、ステップＦ１０４の処理はスキップされる。すなわち、分周器４５の分周比は変更されず、クロック周波数はそのままとされる。
【０１４２】
ところで、図３８の処理ではアドレス（トラック番号）からＲＯＭ４７のテーブルを参照してゾーンを判別し、発生すべきクロック周波数を設定しているが、ＲＯＭ４７のテーブルデータを用いずに（つまり不要とする）アドレスもしくはトラック番号を用いた所定の演算により発生すべきクロック周波数を判別し、分周比を設定するという処理としてもよい。
【０１４３】
以上、実施の形態のディスク及びそれに対応するカッティング装置、記録再生装置について説明してきたが、本発明はこれらの例に限定されない。またフォーマットとして説明した数値のうちで、本発明の要旨に関連しない部分については各種の変更が可能であることはいうまでもない。
【図面の簡単な説明】
【０１４４】
【図１】本発明の実施の形態のディスクフォーマットの説明図である。
【図２】実施の形態のディスクのエリア構造の説明図である。
【図３】実施の形態のディスクのコントロールデータの説明図である。
【図４】実施の形態のディスクのコントロールデータの物理フォーマット情報の説明図である。
【図５】実施の形態のディスクのウォブリングプリグルーブの説明図である。
【図６】実施の形態のディスクのグルーブ幅及びウォブル振幅の説明図である。
【図７】実施の形態のディスクのウォブリングアドレスのＣＡＶフォーマットの説明図である。
【図８】実施の形態のディスクのウォブリングアドレスのセグメントの説明図である。
【図９】実施の形態のディスクのウォブリングアドレスのフレーム構造の説明図である。
【図１０】実施の形態のディスクフォーマット設定のためのジッターとデータビット長の関係の説明図である。
【図１１】実施の形態のディスクフォーマット設定のためのウォブルＣ／Ｎとウォブル振幅の関係の説明図である。
【図１２】実施の形態のディスクフォーマット設定のためのウォブルアドレススキューマージンとウォブル振幅の関係の説明図である。
【図１３】トラックピッチとラジアルスキューの関係の説明図である。
【図１４】実施の形態のディスクフォーマット設定のためのスキューマージンとトラックピッチの関係の説明図である。
【図１５】実施の形態のディスクを製造するカッティング装置のブロック図である。
【図１６】実施の形態のディスクに対するウォブリング信号発生回路のブロック図である。
【図１７】実施の形態のディスクに対するウォブリング信号発生回路が出力するバイフェーズ信号の説明図である。
【図１８】実施の形態のディスクに対するウォブリング信号発生回路が出力するバイフェーズ信号の説明図である。
【図１９】実施の形態のディスクに対するウォブリング信号発生回路の周波数変調の説明図である。
【図２０】実施の形態のディスクに対するウォブリング信号発生回路の周波数変調波の説明図である。
【図２１】実施の形態のディスクに対するウォブリング信号の合成動作の説明図である。
【図２２】実施の形態のディスクのセクターフォーマットの説明図である。
【図２３】実施の形態の３２Ｋバイトのデータ構成の説明図である。
【図２４】実施の形態の外符号をインターリーブした状態の説明図である。
【図２５】実施の形態のブロックデータの構成の説明図である。
【図２６】実施の形態のリンキングセクションの構造の説明図である。
【図２７】実施の形態のリンキングセクションのデータ構造の説明図である。
【図２８】実施の形態のリンキングセクションの説明図である。
【図２９】ＲＯＭディスクの同期信号の説明図である。
【図３０】実施の形態のディスクの同期信号の説明図である。
【図３１】実施の形態の同期信号パターンの説明図である。
【図３２】実施の形態のディスクのゾーン構造の説明図である。
【図３３】実施の形態のディスクのゾーン構造の説明図である。
【図３４】実施の形態のディスクのゾーン構造に対応するライトクロックの変化の説明図である。
【図３５】実施の形態のディスクのゾーニングフォーマットの説明図である。
【図３６】実施の形態のディスクのゾーニングフォーマットの説明図である。
【図３７】実施の形態の記録再生装置のブロック図である。
【図３８】実施の形態の記録再生装置のクロック切換処理のフローチャートである。
【図３９】実施の形態の記録再生装置のＲＯＭテーブルの内容の説明図である。
【図４０】実施の形態の記録再生装置の動作の説明図である。
【符号の説明】
【０１４５】
１  ディスク、２  グルーブ、３  ランド、３２  光ヘッド、３３  記録再生回路、３５  アドレス発生読取回路、３６  マーク検出回路、３７  セグメントアドレス検出回路、３８  制御回路、４０  マーク周期検出回路、４１  ＰＬＬ回路、４６  クラスタカウンタ、４８  トラックアドレス検出回路、４９  ＦＳカウンタ、６１  フォーマティング回路、６２  論理演算回路、６３  ウォブリング信号発生回路、６４  マーク信号発生回路、６５  合成回路、６８  駆動回路、７２  レーザ光源、７３  ＡＯＭ、７４  ＡＯＤ
【図１】
2007122870.tif 000003
【図２】
2007122870.tif 000004
【図３】
2007122870.tif 000005
【図４】
2007122870.tif 000006
【図５】
2007122870.tif 000007
【図６】
2007122870.tif 000008
【図７】
2007122870.tif 000009
【図８】
2007122870.tif 000010
【図９】
2007122870.tif 000011
【図１０】
2007122870.tif 000012
【図１１】
2007122870.tif 000013
【図１２】
2007122870.tif 000014
【図１３】
2007122870.tif 000015
【図１４】
2007122870.tif 000016
【図１５】
2007122870.tif 000017
【図１６】
2007122870.tif 000018
【図１７】
2007122870.tif 000019
【図１８】
2007122870.tif 000020
【図１９】
2007122870.tif 000021
【図２０】
2007122870.tif 000022
【図２１】
2007122870.tif 000023
【図２２】
2007122870.tif 000024
【図２３】
2007122870.tif 000025
【図２４】
2007122870.tif 000026
【図２５】
2007122870.tif 000027
【図２６】
2007122870.tif 000028
【図２７】
2007122870.tif 000029
【図２８】
2007122870.tif 000030
【図２９】
2007122870.tif 000031
【図３０】
2007122870.tif 000032
【図３１】
2007122870.tif 000033
【図３２】
2007122870.tif 000034
【図３３】
2007122870.tif 000035
【図３４】
2007122870.tif 000036
【図３５】
2007122870.tif 000037
【図３６】
2007122870.tif 000038
【図３７】
2007122870.tif 000039
【図３８】
2007122870.tif 000040
【図３９】
2007122870.tif 000041
【図４０】
2007122870.tif 000042